(57)【要約】【課題】基板ボックスの封鎖部を極めて簡単な操作で、かつ確実にロックすることを可能にした遊技機の基板ボックスを提供する。【解決手段】基板ボックスは、保持ケース１２と蓋体１３との間に基板が収納される。保持ケース１２および蓋体１３の封鎖部１０Ａを突き合わせてロックすることで基板ボックス内に基板を封鎖する。保持ケース１２および蓋体１３の端部には、互いに向き合う一対の封鎖片１２Ａおよび１３Ａが設けられる。封鎖片１２Ａには固定部材（雄部材１８）が設けられる。封鎖片１３Ａには、雄部材１８に係止される可動部材（雌部材２５）が設けられる。封鎖片１３Ａの所定位置には、雌部材２５を雄部材１８側に加圧することが可能なガイド孔Ｈ１が設けられる。【選択図】　　　図６
2004081731.tif 000002
【特許請求の範囲】
【請求項１】
保持ケースと蓋体との間に基板を収納するとともに、前記保持ケースおよび前記蓋体の封鎖部を突き合わせてロックすることで前記基板を封鎖する基板ボックスにおいて、
前記保持ケースおよび前記蓋体の端部に設けられ、互いに向き合う一対の封鎖片と、
前記封鎖片の一方に設けられる固定部材と、
前記封鎖片の他方に設けられ、前記固定部材に係止される可動部材とを備え、前記封鎖片の所定位置には、前記可動部材を前記固定部材側に加圧することが可能なガイド孔を設けたことを特徴とする遊技機の基板ボックス。
【発明の詳細な説明】
【０００１】
【発明の属する技術分野】
本発明は、遊技機の基板ボックスに関するもので、例えば、パチンコ機、スロットマシン等の制御基板ボックスに適用されるものである。
【０００２】
【従来の技術】
一般に、パチンコ機等の遊技機には、遊技機を制御するための制御基板が設けられる。制御基板は、通常、不正にＲＯＭが書き換えられたり、交換されたりするのを防止するために基板ボックスに収納して封鎖される。
例えば図１１に示すように、従来の基板ボックス１は、保持ケース２と蓋体３との間に制御基板４が収納される。保持ケース２および蓋体３の外周端には、互いに向き合う位置に封鎖部２Ａ、３Ａが設けられる。これらの封鎖部２Ａと３Ａとを突き合わせ、所定のネジ孔にワンウェイネジ５を締め付ける。ワンウェイネジ５を一旦締め付けると、緩み方向にネジが戻らないため、封鎖部２Ａ、３Ａがロックされ、基板ボックス１内に制御基板４が封鎖されることになる。
【０００３】
このような封鎖構造をもつ基板ボックスとしては、例えば、緩み方向に回転不能な構造のワンウェイビスを用いるもの（特開平１１−７６５６０号公報：段落００１９）、ベース体と蓋体とを取り外し不能に封鎖するネジを用いるもの（特開２００１−２０４９４１号公報：段落００１９）等が開示されている。
【０００４】
【発明が解決しようとする課題】
しかしながら、このような従来の遊技機の基板ボックスによると、封鎖部２Ａ、３Ａをロックする場合、ネジの締め付けが面倒で作業時間が長くなりやすい。また、作業者の締め付けの程度（ねじ込み回数）にバラツキが生じると、封鎖部のロックが外れる場合が生じうる。
これに対し、ワンウェイネジに代えて、リベットにより封鎖部をロックするものも知られるが（特開２０００−６１１１４号公報：段落００１５参照）、リベットをかしめるのにリベッタ等の特殊な道具が必要で、作業の準備が煩雑になる。
本発明は、このような現状に鑑みなされたもので、基板ボックスの封鎖部を極めて簡単な操作で、かつ確実にロックすることを可能にした遊技機の基板ボックスを提供することを目的としている。
【０００５】
【課題を解決するための手段】
前記課題を解決するために本発明（第１発明）の遊技機の基板ボックスは、次のような構成を備えることとした。すなわち、
保持ケースと蓋体との間に基板を収納するとともに、前記保持ケースおよび前記蓋体の封鎖部を突き合わせてロックすることで前記基板を封鎖する基板ボックスにおいて、
前記保持ケースおよび前記蓋体の端部に設けられ、互いに向き合う一対の封鎖片と、
前記封鎖片の一方に設けられる固定部材と、
前記封鎖片の他方に設けられ、前記固定部材に係止される可動部材とを備え、前記封鎖片の所定位置には、前記可動部材を前記固定部材側に加圧することが可能なガイド孔を設ける構成とした。
【０００６】
本発明（第１発明）によると、保持ケースに蓋体を閉じる場合、これらの封鎖片が互いに向き合った状態に保たれる。次いで、ガイド孔にドライバ等の先端を押し込むと、可動部材が固定部材側に移動し、固定部材に係止される。これにより、保持ケースおよび蓋体の封鎖片が一体になって外れなくなり、基板ボックスの封鎖部がロックされることになる。すなわち、本発明（第１発明）の基板ボックスによれば、ドライバ等の工具による一回の加圧操作だけで簡単に封鎖部のロックを行うことができる。
なお、前記ガイド孔の形状は、特に限定されず、円形、多角形の他、スリット状であってもよい。また、一定間隔を保って設けられる部品同士の間の隙間をガイド孔として利用することも可能である。
【０００７】
前記可動部材は、ガイド孔からの加圧によって固定部材側に移動可能な機構を備えるものであればよく、例えば、回動部材、スライド部材等を採用することができる。これらの可動部材のうち、特に、回動部材を採用することが望ましい。回動部材によれば、封鎖部の構造をシンプルに形成することができ、しかも、加圧によって可動部材を容易に移動することができるからである。
このような理由により、本発明の遊技機の基板ボックスは、前記可動部材が回動部材である構成にするとよい（第２発明）。
【０００８】
制御基板のＲＯＭ等を検査する場合には、封鎖部のロックを解除し、基板ボックスを開封することが必要になる。この場合、封鎖片を保持ケースおよび蓋体の根元部で切断し、封鎖部のロックを解除する方法が考えられる。
しかしながら、このように封鎖片を根元部で切断する場合、作業が煩雑になりやすく、また、基板ボックスに変形や割れ等が生じやすくなる。
そこで、本発明の遊技機の基板ボックスは、前記封鎖片に、前記固定部材または前記可動部材の根元部の周囲に開口するロック解除窓を設ける構成にするとよい（第３発明）。
【０００９】
本発明（第３発明）によれば、ＲＯＭ検査等により基板ボックスを開封する場合、ロック解除窓に刃物等の先端を挿入し、固定部材または可動部材に押し当て根元部を切断する。これにより、封鎖部のロックを簡単な作業で解除することができ、基板ボックスの開封作業を快適に行うことができる。
封鎖部がロックされているか否かをチェックするためには、通常は、ロック解除窓から可動部材または固定部材の根元部の状態を見ることで足りる。すなわち、根元部が切断されているか否かの状態を確認することにより、封鎖部のロックが解除されているか否かを知ることができる。
【００１０】
可動部材または固定部材の根元部の状態を見る場合、ロック解除窓から見える範囲が少ないためにロック状態を瞬時に判別できないことも想定される。特に、不正に基板ボックスが開封されたかどうかをチェックするためには、封鎖部のロック状態を迅速に知ることが重要である。
そこで、本発明の遊技機の基板ボックスは、前記ロック解除窓に目隠し板を設ける構成にするとよい（第４発明）。
【００１１】
本発明（第４発明）によれば、封鎖部のロックを解除する場合、常に目隠し板を取り外すことが必要になる。すなわち、目隠し板を外さなければ、ロック解除窓を通して可動部材または固定部材の根元部を切断することができない。これにより、目隠し板が外されているか否かを見ることで封鎖部のロック状態を一瞥して確認することができ、不正行為により基板ボックスが開放されたかどうかを簡単に知ることが可能になる。
また、本発明（第４発明）の目隠し板は、ロック解除窓から封鎖部に異物が入り込むのを防止する役割も果たす。
【００１２】
本発明による基板ボックスの製法としては、例えば、プラスチック材料でボックス本体と封鎖部とを一体成形することが望ましい。このような製法によれば、ボックス本体と封鎖部とが同種のプラスチック材料を用いることができ、遊技機の解体後に基板ボックスを容易にリサイクルすることができるためである。また、封鎖部の切断片についても、ネジやリベットの金属材料を含まないため、プラスチック廃材として分別回収しやすく、リサイクルが容易になる。
なお、本発明による基板ボックスの他の製法としては、ボックス本体と封鎖部とを別に製造して後で合体させる方法でもよい。
【００１３】
基板ボックスを製造するためのプラスチック材料としては、例えばポリカーボネートが使用される。
プラスチック材料の色彩は、特に限定されないが、望ましくは透明または半透明の材料を用いるのが望ましい。基板ボックスの外側から内部を視認しやすく、ＲＯＭ等の異常を発見しやすいためである。
【００１４】
また、本発明による遊技機は、前記本発明（第１〜４発明）の基板ボックスを備えることを特徴としている。
本発明の遊技機によれば、基板ボックスの封鎖部をドライバ等の道具で簡単にロックすることができる。このため、工場等で遊技機に基板ボックスをセットする作業が簡単になる。また、ホール設置後にＲＯＭ等の検査があっても、基板ボックスの開封および封鎖の作業を簡単かつ迅速に行うことが可能になる。
なお、遊技機の種類は特に限定されず、パチンコ機、スロットマシン、アレンジボール機、雀球機等の各種遊技機に本発明を適用することが可能である。
【００１５】
【発明の実施の形態】
以下、本発明の実施の形態を図面に基づいて説明する。
図２は、本発明を適用したパチンコ機を背後から見た斜視図である。図２に示すように、パチンコ機１００は、外枠１０１内に遊技盤ユニット１０６が収納される。パチンコ機１００の正面側に遊技盤ユニット１０６の遊技盤が配置される。遊技盤には、玉案内レール、各種入賞装置、役物装置、図柄表示装置、アタッカー装置、ゲート口、風車器、誘導釘等が設けられている。外枠１０１の前面には、扉１０２がヒンジ１０２ａで回動可能に取り付けられている。発射ハンドル装置１０３を操作することにより、遊技者が遊技盤に玉を送る。
パチンコ機１００の背面側には、玉タンク１０５、電源装置１０７、玉払出装置１０８等が設けられている。そして、遊技盤ユニット１０６の背面にパチンコ機１００の遊技状態を制御する制御基板が取り付けられる。
【００１６】
制御基板は、遊技機全体を制御する主基板と、副基板（表示制御基板、音制御基板、ランプ制御基板、払出制御基板、発射制御基板等）とからなり、これらの基板の一部は個別に基板ボックスに収納されている。本実施形態では、これらの基板ボックスのうち、主基板用の基板ボックス１０に本発明を適用した例について説明する。なお、必要に応じて副基板の基板ボックスにも本発明を適用することができることはもちろんである。
【００１７】
図１に示すように、基板ボックス１０は、保持ケース１２と蓋体１３とからなる。基板ボックス１０の下端部にヒンジ部１５が設けられ、このヒンジ部１５により保持ケース１２の開口部に蓋体１３が開閉可能に取り付けられる。図１の状態から図１矢印方向に蓋体１３を回動すると、保持ケース１２内に制御基板１４が現れる。
【００１８】
主基板ボックス１０の図１左右両端部には一対の封鎖部１０Ａ、１０Ａが形成されている。主基板ボックス１０に主基板１４を格納した後、これらの封鎖部１０Ａを所定の操作によってロックすることで、主基板ボックス１０に制御基板１４が封鎖状態に保たれる。
【００１９】
次に、封鎖部１０Ａの構成について説明する。
図３および図４には、封鎖部１０Ａを分解した状態を示した。図３（Ａ）および（Ｂ）は保持ケース１２の封鎖片１２Ａの断面図および底面図、図４（Ａ）および（Ｂ）は蓋体１３の封鎖片１３Ａの断面図および底面図を示している。
図３（Ａ）に示すように、保持ケース１２の側面に封鎖片１２Ａが形成されている。封鎖片１２Ａは、縦板１５と横板１６とからなる。縦板１５が保持ケース１２の側面に対しほぼ垂直に延び、さらにその先端に横板１６が保持ケース１２の側面に対しほぼ平行に延びている。
【００２０】
封鎖片１２Ａには、雄部材１７（固定部材）が形成される。雄部材１７は、横板１６の内側にほぼ垂直に延びている。雄部材１７の先端部には、後述する雌部材２５を係止するための係止部１８が設けられる。係止部１８の先端は、楔形の傾斜面１８ａになっている。
【００２１】
横板１６にはロック解除窓Ｈ３が設けられる。ロック解除窓Ｈ３は、雄部材１７の根元部を囲むように横板１６に貫通している。図３（Ｂ）に示すように、下方から横板１６を見ると、ロック解除窓Ｈ３が雄部材１７の根元部の周囲にコ字形に開口する。
【００２２】
一方、図４（Ａ）に示すように、蓋体１３の側面には、封鎖片１３Ａが形成される。封鎖片１３Ａは、封鎖片１２Ａよりもサイズの大きい縦板２１と横板２２を有している。保持ケース１２に蓋体１３を閉じると、封鎖片１２Ａの外側に封鎖片１３Ａが嵌合し、蓋体１３の先端部１３ａが封鎖片１２Ａに当たって止まる（図６参照）。
【００２３】
封鎖片１３Ａには、軸受け２３に支軸２４が取り付けられている。そして、この支軸２４には雌部材２５（可動部材）が回動可能に取り付けられる。図４（Ａ）の状態では、雌部材２５が図４矢印方向に回動する。
【００２４】
図５に示すように、雌部材２５は、縦枠３１、３１および横枠３２を有している。これらの枠の間に雄部材１７に嵌合可能な係止孔Ｈ２が形成される。
係止孔Ｈ２には傾斜面２５ａが形成される。雄部材１７に雌部材２５を嵌合させるとき、傾斜面１８ａと傾斜面２５ａとが互いにスライドし合い、雌部材２５が雄部材１７に嵌合しやすくなる。
縦枠３１、３１の上端部にはストッパ３３および３４が延びている。ストッパ３３および３４は、雌部材２５が回動するとき、封鎖片１２Ａまたは１３Ａの壁面に当たって雌部材２５の回動位置を規制する役割を果たす。
【００２５】
封鎖片１３Ａの縦板２１にはガイド孔Ｈ１が設けられる（図４（Ａ）参照）。ガイド孔Ｈ１は、雌部材２５の縦枠３１、３１にそれぞれ重なり合う位置に並設されている。すなわち、ガイド孔Ｈ１から縦枠３１、３１を加圧することにより雌部材２５を回動させることが可能になっている。
【００２６】
図４（Ｂ）に示すように、封鎖片１３Ａの横板２２にはロック解除窓Ｈ４が設けられる。ロック解除窓Ｈ４は、保持ケース１２に蓋体１３を閉じたとき、封鎖片１２Ａのロック解除窓Ｈ３に重なる。
ロック解除窓Ｈ４の外側には目隠し板２６が設けられる。目隠し板２６は、支持部２６ａにより封鎖片１３Ａの壁面に固定される。ロック解除窓Ｈ４を開放するときには、支持部２６ａを切断して目隠し板２６を外す。
【００２７】
封鎖部１０Ａをロックする場合、図６に示すように、まず、保持ケース１２に蓋体１３を閉じ、封鎖片１２Ａと１３Ａとを突き合わせる。次に、ガイド孔Ｈ１にドライバ等の先端を押し込み、図６矢印に示すように、雌部材２５を雄部材１７側に回動させる。すると、図７に示すように、雄部材１７に雌部材２５の係止孔Ｈ２が弾性嵌合し、係止部１８に係止される。この結果、封鎖片１２Ａと１３Ａとが外れない状態になって封鎖部１０Ａがロックされることになる。
【００２８】
このように第１実施形態によれば、基板ボックスの封鎖部１０Ａをドライバ等の道具を用いて一回の作業工程で極めて簡単にロックすることができる。これにより、遊技機への基板ボックス１０の組み付けが簡単になり、作業者の負担を軽減することができる。また、雄部材１７に雌部材２５が一旦係止されると、係止部１８の返しによって外れることはなく、封鎖の信頼性も十分に確保することができる。
【００２９】
封鎖部１０のロックを解除する場合は、まず、封鎖片１３Ａから目隠し板２６を取り外す。このとき、図８に示すように、ロック解除窓Ｈ３、Ｈ４に雄部材１７の根元部が現れる。次いで、ロック解除窓Ｈ３、Ｈ４を通して雄部材１７の根元部を切断すると、封鎖片１２Ａと１３Ａとが外れる状態になり、封鎖部１０のロックが解除されることになる。
雄部材１７の根元部を切断する方法については、例えば、カッターやニッパ等で根元部を直接切断するとよい。また、ドライバ等の先端で雄部材１７の根元部を折って封鎖片１３Ａから分離することもできる。
このように第１実施形態によれば、封鎖部のロック解除も、簡単な操作で迅速に行うことができる。
【００３０】
なお、目隠し板２６は、封鎖部１０Ａのロックを解除するとき以外は常に封鎖片１３Ａに保持しておく。すなわち、封鎖部１０Ａを一旦ロックした後に解除するときだけ目隠し板２６を外し、それ以外の場合は目隠し板２６をロック解除窓Ｈ４に保持しておく。これにより、目隠し板２６を見るだけで封鎖部１０Ａのロックが解除されているか否かを瞬時に把握することが可能になる。
【００３１】
ここで、図１に示すように、本実施形態では、基板ボックス１０の左右両側のの封鎖部１０Ａに雄部材１７および雌部材２５を複数（４個）並設する構成とした。これにともないガイド孔Ｈ１、ロック解除窓Ｈ３、Ｈ４および目隠し板２６も対応する数だけ形成している。つまり、封鎖片１２Ａおよび１３Ａには、図１で上下方向に第１〜第４のロック機構が設けられている。
例えば、パチンコ機１００の工場出荷時に第１のロック機構により基板ボックス１０を封鎖する。このとき、第２〜４番目のロック機構はロックしない。遊技機がホールに設置された後にＲＯＭの検査等のため基板ボックス１０を開ける場合には、第１番目のロック機構を解除する。再度、基板ボックス１０を閉じる場合には、第２番目のロック機構により基板ボックス１０を封鎖する。同様に、再度、基板ボックス１０を開ける場合には第３、第４番目のロック機構を用いて基板ボックス１０を封鎖する。
【００３２】
このように封鎖部１０Ａに複数のロック機構を並設することで、基板ボックス１０をロック機構の数だけ開放し、かつ、封鎖状態に戻すことが可能になる。
なお、ロック機構が複数ある場合、各ロック機構を使用する順序は、特に限定されない。図１で上から下へ順番にロック機構を用いても良いし、また、逆であってもよい。
【００３３】
また、第１実施形態の基板ボックス１０によれば、解体後のリサイクルにも適する。すなわち、従来例による基板ボックスの封鎖部の構成では、ネジやリベットに既製の金属製品を使用することが多くなる。このため、プラスチック製の基板ボックスをリサイクルのため回収する際に金属製のネジやリベットを分別することが困難であった。これに対し、基板ボックス１０の構成では、封鎖片１２Ａ、１３Ａ、雄部材１７（固定部材）、雌部材２５（可動部材）等の封鎖部の各部をプラスチック材料により比較的簡単に製造することができる。これにより、基板ボックス１０のプラスチック材料のリサイクルを簡単に行うことができるという効果がある。
【００３４】
次に、本発明の他の実施形態について説明する。なお、以下に述べる他の実施形態において、前記第１実施形態と実質的に同一の構成部分には同一の符号を付し、説明を省略する。
【００３５】
本発明の第２実施形態を図９に示す。
第２実施形態の封鎖部１０Ｂは、可動部材として雄部材３３を採用したものである。軸受け３１および支軸３２によって雄部材３３が封鎖片１３Ａに回動可能に取り付けられる。雄部材３３は、ほぼ直角に屈曲する軸部３４を有しており、軸部３４の先端に係止部３５が形成される。
一方、封鎖片１２Ａの横板３６には、雄部材３３に嵌合可能な係止孔Ｈ５が設けられる。係止孔Ｈ５の開口部には、係止部３５が係止孔Ｈ５にスムーズに嵌合するように傾斜面３６ａが形成されている。
【００３６】
封鎖部１０Ｂをロックする場合、図９に示すように、ガイド孔Ｈ１にドライバ等の先端を押し込み、雄部材３３をを加圧すると、雄部材３３が図９矢印に示すように回動し、係止部３５が係止孔Ｈ５に弾性嵌合する。これにより、封鎖片１２Ａと１３Ａとが外れない状態になり、封鎖部１０Ｂがロックされる。
封鎖部１０Ｂのロックを解除する場合は係止部３５を切除し、係止孔Ｈ５から雄部材３３を開放する。すると、封鎖片１２Ａと１３Ａとが分離可能になって封鎖部１０Ｂのロックが解除される。
【００３７】
第２実施形態によれば、雄部材３３の係止部３５が係止片１２Ａの外側に現れるため、封鎖部１０Ｂのロック状態を係止部３５を見ることで知ることができ、目隠し板の取付工程を省略することができる。
【００３８】
本発明の第３実施形態を図１０に示す。
第３実施形態の封鎖部１０Ｃは、回動式の可動部材に代えて、スライド式の可動部材を採用したものである。図１０に示すように、封鎖片１２Ａに雌部材４１、４１が所定間隔を保って設けられる。雌部材４１、４１の所定位置には係止孔Ｈ６が形成される。
封鎖片１３Ａには、軸受け４２、４２が設けられる。軸受け４２、４２のスライド溝には、支軸４４、４４によってスライドバー４３が取り付けられる。そして、スライドバー４３のほぼ中間部に雄部材４５がほぼ垂直に延び、その先端に係止部４６が形成されている。
【００３９】
封鎖部１０Ｃをロックする場合、ガイド孔Ｈ１にドライバ等の先端を挿入し、スライドバー４３を押し込む。すると、雄部材４５がスライドバー４３とともに雌部材４１側に移動する。そして、雄部材４５の係止部４６が雌部材４１、４１の間の隙間に弾性嵌合し、係止孔Ｈ６に係止される。
一方、封鎖部１０Ｃのロックを解除する場合には、ロック解除窓Ｈ７を通して雄部材４５を切断する。
このように第３実施形態によれば、ガイド孔Ｈ１および雄部材４５が同軸上に配置されるため、雌部材４１、４１に雄部材４５を嵌合させやすく、封鎖部１０Ｃのロックの作業がより簡単になる。
【００４０】
本発明の第１〜３実施形態を説明したが、本発明の実施の形態はこれらの限られることなく、種々の変更が可能である。雄部材または雌部材の形状は、必要に応じて変更してもよい。また、封鎖部の位置や数についても、前記第１〜３実施形態の構成に限られることなく、例えば、基板ボックスの四隅部に封鎖部を設けたり、ヒンジ部と反対側に１カ所のみ封鎖部を設けてもよい。さらに、目隠し板については、必要に応じて省略することもできる。
【００４１】
【発明の効果】
以上説明したように、本発明の遊技機の基板ボックスによれば、次のような優れた効果を奏する。
（ａ）　基板ボックスの封鎖部を簡単かつ迅速にロックすることができる。
（ｂ）　基板ボックスの封鎖部にネジやリベット等を使用しないため、解体後の材料分別を行いやすい。
（ｃ）　プラスチック材料を再利用しやすく、資源の有効利用に役立つ。
【図面の簡単な説明】
【図１】本発明の第１実施形態による基板ボックスを示す斜視図である。
【図２】本発明の第１実施形態によるパチンコ機の後方斜視図である。
【図３】本発明の第１実施形態による基板ボックスの封鎖部を示すもので、（Ａ）は保持ケース側の封鎖片を示す断面図、（Ｂ）はその部分底面図である。
【図４】本発明の第１実施形態による基板ボックスの封鎖部を示すもので、（Ａ）は蓋体側の封鎖片を示す断面図、（Ｂ）はその部分底面図である。
【図５】本発明の第１実施形態による封鎖部の雌部材（可動部材）を示す斜視図である。
【図６】本発明の第１実施形態による封鎖部のロック前の状態を示す断面図である。
【図７】本発明の第１実施形態による封鎖部のロック後の状態を示す断面図である。
【図８】本発明の第１実施形態による封鎖部のロック解除窓を示す斜視図である。
【図９】本発明の第２実施形態による基板ボックスの封鎖部を示す断面図である。
【図１０】本発明の第３実施形態による基板ボックスの封鎖部を示す断面図である。
【図１１】従来例による基板ボックスを示す斜視図である。
【符号の説明】
１０　　　基板ボックス
１０Ａ　　封鎖部
１２　　　保持ケース
１３　　　蓋体
１２Ａ、１３Ａ　　封鎖片
１７　　雄部材（固定部材）
１８　　係止部
２５　　雌部材（可動部材）
２６　　目隠し板
Ｈ１　　ガイド孔
Ｈ２　　係止孔
Ｈ３、Ｈ４　ロック解除窓
【図１】
2004081731.tif 000003
【図２】
2004081731.tif 000004
【図３】
2004081731.tif 000005
【図４】
2004081731.tif 000006
【図５】
2004081731.tif 000007
【図６】
2004081731.tif 000008
【図７】
2004081731.tif 000009
【図８】
2004081731.tif 000010
【図９】
2004081731.tif 000011
【図１０】
2004081731.tif 000012
【図１１】
2004081731.tif 000013